(57)【要約】【課題】内蔵プリンタのメンテナンス性向上が図れるように本体の組立構造を改良した据置形の決済端末装置を提供する。【解決手段】本体１にキーボード５，表示部６およびロール紙印字プリンタを搭載装備し、本体に収容したロール紙８から繰出す記録用紙をプリンタに給紙，印字した上で、本体から排出するようにした決済端末装置において、本体を上面，および前面一部を開口した箱形の筐体２と、その上面，正面に配した蓋体３および前扉４との組立体から構成し、蓋体はその後端を筐体にヒンジ結合して上方へ開放可能に組み付けた上で、上面にキーボード，表示部を、また前部内側にプリンタ部７を装備し、前扉はその下端を筐体にヒンジ結合して前方へ傾動可能に組み付けた上で、その上端部内側に前記プリンタヘッドに対向するプラテンローラ８ａと組み合わせたカッター部８を装着し、ロール紙から繰出して印刷した記録用紙を本体の正面から排出ような構成とする。【選択図】図１
2007172014.tif 000002
【特許請求の範囲】
【請求項１】
本体にキーボード，表示部およびロール紙印字プリンタを搭載装備し、本体内部に収容したロール紙から繰出す記録用紙をプリンタに給紙，印字した上で、本体から排出するようにした決済端末装置において、
前記本体が上面，および前面一部を開口した箱形の筐体と、該筐体の上面，正面に配した蓋体，および前扉との組立体からなり、蓋体はその後端を筐体にヒンジ結合して上方へ開放可能に組み付けた上で、その上面にはキーボード，表示部を、また前部内側にプリンタヘッドを装備し、前扉はその下端を筐体にヒンジ結合して前方へ傾動可能に組み付けた上で、その上端部内側に前記プリンタヘッドに対向するプラテンローラと組み合わせたカッター部を装着してロール紙から繰出して印刷した記録用紙を本体の正面から排出するようにしたことを特徴とする決済端末装置。
【請求項２】
請求項１に記載の決済端末装置において、蓋体の前部，および前扉の上部に蓋体，前扉を閉位置に係止するオートロック式のロック機構を設け、筐体の前面部には前記の各ロック機構を一括して釈放する釦操作式のロック釈放機構を設けたことを特徴とする決済端末装置。
【請求項３】
請求項２に記載の決済端末装置において、ロック釈放機構が筐体の前面に臨ませたオープン釦と、該釦の背後に延在する釈放レバーからなり、オープン釦の押し込み操作により釈放レバーを介して蓋体および前扉のロック機構を釈放位置に駆動するようにしたことを特徴とする決済端末装置。
【発明の詳細な説明】
【技術分野】
【０００１】
本発明は、デビット／クレジットカードなどによる電子決済システムに適用する据置形の決済端末装置に関する。
【背景技術】
【０００２】
頭記の据置形決済端末装置として、様々な構造タイプの製品が市場に展開しており、その一例として、本体にキーボード，表示部，および決済内容の明細（レシート）を発行するロール紙印字プリンタ（ラインサーマルプリンタ）を搭載装備し、本体の後部側に装備のロール紙ホルダに収納したロール紙から繰出す記録用紙をプリンタに給紙して印字した上で、印字された記録用紙を本体から後方に排出すようにした構成のものが知られている（例えば、特許文献１参照）。
また、ロール紙を使用する汎用プリンタとして、ロール紙を収容する上面開放形の箱型筐体に設けた蓋体の前部内側に印字プリンタのプリンタヘッドを装着するとともに、このプリンタヘッドに対向して前記筐体の前壁上端の内側にプラテンローラおよびカッターを装備し、ロール紙から繰出した記録用紙をプリンタヘッドに給紙して印刷した後に筐体から前方に排出ようにするとともに、前記の蓋体はその後端を筐体にヒンジ結合して上方へ開放可能に支持し、かつ筐体の前面には閉位置に係止された蓋体の鎖錠を釈放する釦を備えた構成のものが知られている（例えば、特許文献２）。
【特許文献１】特開２００２−８３３７０号公報（図１〜図４)
【特許文献２】特開２０００−２８９２７２号公報（図１，図２）
【発明の開示】
【発明が解決しようとする課題】
【０００３】
ところで、据置形の決済端末装置について、特許文献１に開示されている決済端末装置のように、ロール紙印字プリンタを本体の後部側に配備した構成ではメンテナンス性に次記のような問題点がある。
すなわち、プリンタはそのプリンタヘッド，プラテンローラなどが汚れ易く、また用紙詰まりなどのトラブルもこの部分に発生することから、日常の点検，清掃，トラブル処理などを行う際に、そのメンテナンス箇所の目視点検，アクセスがし易いことが必要である。また、ロール紙の交換が楽に行えることも望まれる。
かかる点、特許文献１の構造では、プリンタおよびロール紙ホルダが本体後部に装備されているために、プリンタのメンテナンス箇所が目視点検し難い問題がある。
一方、汎用プリンタとして、特許文献２のようにロー紙を上蓋付きの筐体内部に収容した上で、プリンタヘッドを蓋体の前端部内側に、送りローラ，カッターを筐体の前端部内側に分けて配備した構成では、上蓋を上方に開放することでロール紙の交換が楽に行える利便性があるものの、プリンタのプラテンローラ，カッターなどを筐体の前面壁の裏側に装着していることから、メンテナンス時にこの部分を点検，清掃する場合に、筐体の前面壁が邪魔になってメンテナンス作業がやり難い問題がある。
【０００４】
本発明は上記の点に鑑みなされたものであり、その目的は前記課題を解決して内蔵プリンタのメンテナンス性向上が図れるように本体の組立構造を改良した据置形の決済端末装置を提供することにある。
【課題を解決するための手段】
【０００５】
上記目的を達成するために、本発明によれば、本体にキーボード，表示部およびロール紙印字プリンタを搭載装備し、本体内部に収容したロール紙から繰出す記録用紙をプリンタに給紙，印字した上で、本体から排出するようにした決済端末装置において、
前記本体が上面，および前面一部を開口した箱形の筐体と、該筐体の上面，正面に配した蓋体および前扉との組立体からなり、蓋体はその後端を筐体にヒンジ結合して上方へ開放可能に組み付けた上で、その上面にはキーボード，表示部を、また前部内側にプリンタヘッドを装備し、前扉はその下端を筐体にヒンジ結合して前方へ傾動可能に組み付けた上で、その上端部内側に前記プリンタヘッドに対向するプラテンローラと組み合わせたカッター部を装着してロール紙から繰出して印刷した記録用紙を本体の正面から排出ような構成とする（請求項１）。
【０００６】
また、本発明は前記の蓋体，前扉に対する鎖錠，釈放手段として、次記のロック機構，ロック釈放機構を装備するものとする。
（１）蓋体の前部，および前扉の上部に蓋体，前扉を閉位置に係止するオートロック式のロック機構を設けるとともに、筐体の前面部には前記の各ロック機構を一括して釈放する釦操作式のロック釈放機構を設ける（請求項２）。
（２）前記のロック釈放機構は、筐体の前面に臨ませたオープン釦と、該釦の背後に延在する釈放レバーからなり、オープン釦の押し込み操作により釈放レバーを介して蓋体および前扉のロック機構を釈放位置に駆動するようにする（請求項３）。
【発明の効果】
【０００７】
上記の構成により、本体に内蔵した印字プリンタに対する点検，清掃などのメンテナンス性が大幅に改善される。すなわち、ロール紙を収納する本体の筐体に蓋体および前扉を組み付けて両開き構造としたことで、筐体の開口面域が拡大してロール紙の交換作業を本体の前方から楽に行えるほか、前扉を前方に傾けることにより、前扉の内側に装着したプリンタのプラテンローラ，カッター（メンテナンス箇所）へのアクセス，目視点検が容易となってメンテナンス性が向上する。しかも、筐体の前面に備えたオープン釦を押し込み操作することで、蓋体，前扉の鎖錠を一括して同時釈放することができる。
【発明を実施するための最良の形態】
【０００８】
以下、本発明の実施の形態を図１〜図３に示す実施例に基づいて説明する。なお、図１は決済端末装置の本体に組み付けた蓋体，前扉の開，閉状態を模式的に表した図、図２は決済端末装置全体の外観斜視図、図３は本体に装備したロック釈放機構の動作説明図であり、図２では筐体の左側面を覆う筐体カバーを取り外してその内側の構造が見えるようにしている。
すなわち、図示実施例の決済端末装置では、その本体１が上面，および前面一部（前壁の上端中央部位）を開口した箱形の筐体２と、筐体２の上面に配した蓋体３と、筐体２の正面に配した前扉４との組立体になる。ここで、蓋体３はその上面にキーボード５および表示部（液晶パネル）６を配備し（制御回路のプリント板は蓋体の内部に組み込まれている）、その前端部内側（蓋体の裏面側）にはキャプスタンローラ７ａと組み合わせたプリンタヘッド部７を装着した上で、蓋体の後端を筐体２にヒンジ結合し、このヒンジ部３ａを支点に上方へ開放可能に組み付けている。
【０００９】
一方、前扉４はその下端を筐体２にヒンジ結合し、このヒンジ部４ａを支点として前方へ傾動可能に組み付けた上で、前扉４の上端部内側には前記プリンタヘッド部７に対向するプラテンローラ８ａと組み合わせたカッター部８を装着している。
上記の構成で、図１（ａ）に表す決済端末装置の使用状態では、筐体２の内部に収納したロール紙９から繰出す記録用紙９ａを、キャプスタンローラ７ａを経由してプリンタヘッド部７とプラテンローラ８ａとの間に給紙し、決済時に印字プリントした記録用紙９ａを本体１の正面から前方に排出するようにしている。：
また、ロール紙９の交換，プリンタ点検などのメンテナンスを行う場合には、図１（ｂ）で表すように蓋体３を上方（矢印Ａ）に開き、前扉４を手前（矢印Ｂ）に引いて前傾姿勢に開く。これにより、蓋体３の前端部内側に装着したプリンタヘッド部７、および前扉４の上端部内側に装着したカッター部８が露呈し、そのメンテナンス箇所Ｐを本体１の前方から容易に目視点検でき、また該部にアクセスして部品清掃などのメンテナンス作業が楽に行える。また、この開放状態では筐体２の開口面域が広くなるので、ロール紙９の交換作業も楽に行える。
【００１０】
一方、前記の蓋体３，前扉４には、次記のように蓋体，前扉を閉位置に係止鎖錠するオートロック式のロック機構を設けるとともに、筐体２の前部側には蓋体，前扉の各ロック機構を一括して同時釈放する釦操作式のロック釈放機構を備えている。
すなわち、図２，図３で示すように、筐体２の正面上部には前扉４の側方に臨ませて鎖錠釈放用のオープン釦１０を備えている。一方、蓋体３のロック機構として、蓋体３の前端内側に装着したプリンタヘッド部７の左右両サイドにロックピン１２を設け、このロックピン１２を筐体２の内側に設けたロックレバー（ラッチ）１１の爪部に係合して蓋体３を閉位置に鎖錠するようにしている。また、前扉４を閉位置に鎖錠するロック機構として、蓋体３に装着した前記プリンタヘッド部７の取付部材に揺動式のロックレバー（ラッチ）１３を吊り下げ支持した上で、このロックレバー１３の爪部を前扉４のロックピン１４（前扉４の内側に装着したプラテンローラ８ａの駆動歯車軸）に係合するようにし、蓋体３および前扉４の閉位置で前記ロックレバー１３を介して前扉４を閉位置に鎖錠するようにしている。
【００１１】
次に、前記のロック機構，ロック釈放機構を構成する各部品の詳細構造を図３（ａ），（ｂ）により説明する。すなわち、オープン釦１０（樹脂成形品）にはその背後に延在するアクチュエータ部１０ａが一体成形されており、オープン釦１０を前方から押し込むと、アクチュエータ部１０ａが前記のロックレバー１１，１３を釈放位置に駆動する。一方、ロックレバー１１（樹脂成形品）は支軸１１ａ，押しピン１１ｂ，復帰ばね１１ｃを備えた上で、支軸１１ａを支点として筐体２の内側に枢着し、この位置で押しピン１１ｂをオープン釦１０のアクチュエータ１０部ａに形成した突き押し段部の背後に対峙させている。
一方、ロックレバー１３は、支軸１３ａを介して蓋体３に装着したプリンタヘッド部７の取付部材へ揺動可能に吊り下げ支持し、蓋体３の閉位置でロックレバー１３の下端部をオープン釦１０のアクチュエータ部１０ａに形成した突起部１０ｂの背後に対峙させるようにしている。
【００１２】
上記の構成において、本体１の蓋体３を閉じると、図３（ａ）で示すようにロックピン１２が矢印方向に移動して来てロックレバー１１の爪部に係合し、蓋体３を閉位置にオートロックする。また、この状態で前扉４を閉じると、蓋体３と一緒に下降してこの位置に待機しているロックレバー１３の爪部１３ｂに矢印方向から移動して来たロックピン１４（プラテンローラ８ａの駆動歯車軸）が係合して前扉４を閉位置にオートロックする。
一方、蓋体３，前扉４が閉じている状態で、筐体２の前面に配したオープン釦１０を手動で押し込むと、図３（ｂ）で示すようにアクチュエータ部１０ａが後方に移動してロックレバー１１およびロックレバー１３を釈放位置に駆動する。これにより、ロックピン１２／ロックレバー１１，およびロックピン１４／ロックレバー１３の係合が外れて蓋体３，前扉４を図１（ｂ）の位置に開くことができる。
【図面の簡単な説明】
【００１３】
【図１】本発明の実施例による決済端末装置の模式図で、（ａ），（ｂ）はそれぞれ本体の蓋体，前扉を閉じた使用状態，および蓋体，前扉を開いた状態を表す図
【図２】図１（ｂ）の状態に対応する決済端末装置の外観斜視図
【図３】図２における蓋体，前扉のロック機構に対する釈放機構の構造図で、（ａ），（ｂ）はそれぞれ鎖錠，釈放状態を表す図
【符号の説明】
【００１４】
１    本体
２    筐体
３ａ  ヒンジ部
３    蓋体
４    前扉
４ａ  ヒンジ部
５    キーボード
６    表示部
７    プリンタヘッド部
８    カッター部
８ａ  プラテンローラ
９    ロール紙
９ａ  記録用紙
１０    オープン釦
１０ａ  アクチュエータ
１１    蓋体のロックレバー
１２    蓋体のロックピン
１３    前扉のロックレバー
１４    前扉のロックピン
【図１】
2007172014.tif 000003
【図２】
2007172014.tif 000004
【図３】
2007172014.tif 000005